(57)【要約】【課題】前記従来の技術の問題点に鑑み提案されたものであり、その目的は、同一エリアに複数の情報を記録することが可能であって、かつ小型化及び低消費電力のハンディタイプの読取装置にも対応する情報記録媒体を提供する。【解決手段】基材上に蛍光体を主体としたインキ組成物を用いて目視情報もしくは機械読み取り情報を形成した情報記録媒体であって、該蛍光体は励起波長がほぼ同一かつ発光波長が異なる二種類以上の蛍光体を用いてなることを特徴とする情報記録媒体を提供する。特に、前記二種類以上の蛍光体によって形成された情報は、それぞれ異なった内容を示す情報であることが好ましい。【選択図】    図１
2005100003.tif 000002
【特許請求の範囲】
【請求項１】
基材上に蛍光体を主体としたインキ組成物を用いて目視情報もしくは機械読み取り情報を形成した情報記録媒体であって、該蛍光体は励起波長がほぼ同一かつ発光波長が異なる二種類以上の蛍光体を用いてなることを特徴とする情報記録媒体。
【請求項２】
前記二種類以上の蛍光体によって形成された情報は、それぞれ異なった内容を示す情報であることを特徴とする請求項１に記載の情報記録媒体。
【請求項３】
前記蛍光体のうち少なくとも一つは赤外線により励起され、可視光を発光する蛍光体であることを特徴とする請求項１または２のいずれかに記載の情報記録媒体。
【請求項４】
前記蛍光体によって前記基材上に形成された二種類以上の情報のうち、少なくとも１つが機械読み取りが可能な機械読み取り情報であることを特徴とする請求項１ないし３のいずれかに記載の情報記録媒体。
【請求項５】
前記機械読み取り情報は、目視可能な画像情報を発光させるに必要な光量を照射しても目視上では発光が確認できず、かつ読み取り機においては検出可能な程度の発光量であることを特徴とする請求項４に記載の情報記録媒体。
【発明の詳細な説明】
【技術分野】
【０００１】
本発明は、蛍光体を利用した情報記録媒体に関する。
【０００２】
より詳しくは、例えば、商品券等や（クレジット）カード等の有価証券類（特にはセキュリティ対策の要求が高い高額なものや重要なもの）の偽造防止対策（偽造の発見や抑止）、真正品であることの認証（例えばブランド品や高級品等の高価なものへ適用が一般に希望が多い）の為の偽造防止対策（偽造の発見や抑止）、機械読み取り情報を付与することで検証機能を備えた情報記録媒体に関するものである。
【背景技術】
【０００３】
蛍光体を用いて基材上に画像を形成する方法は古くから知られている。例えば、紙幣やクレジットカードに紫外線を励起波長とする蛍光体で画像を形成し、ブラックライトの照射によって顕像することが行われている。
【０００４】
かかる蛍光体を使用して機械読み取り用の情報を記録する方法がいくつか提案されている。
【０００５】
蛍光体と通常の印刷インキの重ね合わせで多重情報を記録する方法が提案されている。これは、印刷インキとして６００ｎｍ以上の波長を効率的に反射する色（例えば赤）によって形成された情報と、６００ｎｍ以下の波長によって励起、発光する蛍光体によって形成された情報を重ねて印刷することにより、同一印刷エリアに二重の情報を記録するものである。記録された情報の読み取り時には、６５０ｎｍの光源による反射光の検出と、蛍光体の励起波長の光照射による発光の検出を行う。これにより、それぞれ別々の記録情報を読み取ることができる。
【０００６】
他の方法として、励起光波長と発光波長がいずれも異なる２種類以上の蛍光体を用い、それぞれ別々の情報を機械読み取り情報として記録し、それぞれの励起波長の光源から光を照射し、得られた発光をそれぞれの発光波長のみを透過する光学フィルターを用いて読み取る方法が提案されている。こちらも同様に、同一印刷エリアに二重の情報を記録することが可能である。
【０００７】
【特許文献１】特開平７−２１３３３号公報（第２頁）
【特許文献２】特開平９−１６１００２号公報（第２頁）
【発明の開示】
【発明が解決しようとする課題】
【０００８】
しかしながら、上述の技術では、記録された情報を読み取るためには別々の光源ないしフィルターを通した光を情報記録部に照射しなければならないという問題がある。したがって、光源となる光を照射するデバイスが少なくとも記録材料の数だけ必要であり、読取装置が肥大化する原因となる。
【０００９】
特に、可搬性のハンディ読取装置を具現化するにあたっては、小型化の観点から、発光部のデバイスはできるだけ少ない方が良い。また電源としてバッテリーや乾電池を使用す
ることが多いので、できるだけ消費電力も低いのが好ましい。光源が複数になるということは、間違いなく消費電力が大きくなることにつながり、この点からも問題であると言わざるを得ない。
【００１０】
本発明は、前記従来の技術の問題点に鑑み提案されたものであり、その目的は、同一エリアに複数の情報を記録することが可能であって、かつ小型化及び低消費電力のハンディタイプの読取装置にも対応する情報記録媒体を提供することである。
【課題を解決するための手段】
【００１１】
本発明はかかる課題を解決するものであり、請求項１記載の発明は、基材上に蛍光体を主体としたインキ組成物を用いて目視情報もしくは機械読み取り情報を形成した情報記録媒体であって、該蛍光体は励起波長がほぼ同一かつ発光波長が異なる二種類以上の蛍光体を用いてなることを特徴とする情報記録媒体を提供するものである。
【００１２】
請求項２記載の発明は、前記二種類以上の蛍光体によって形成された情報は、それぞれ異なった内容を示す情報であることを特徴とする請求項１に記載の情報記録媒体を提供するものである。
【００１３】
請求項３記載の発明は、前記蛍光体のうち少なくとも一つは赤外線により励起され、可視光を発光する蛍光体であることを特徴とする請求項１または２のいずれかに記載の情報記録媒体を提供するものである。
【００１４】
請求項４記載の発明は、前記蛍光体によって前記基材上に形成された二種類以上の情報のうち、少なくとも１つが機械読み取りが可能な機械読み取り情報であることを特徴とする請求項１ないし３のいずれかに記載の情報記録媒体を提供するものである。
【００１５】
請求項５記載の発明は、前記機械読み取り情報は、目視可能な画像情報を発光させるに必要な光量を照射しても目視上では発光が確認できず、かつ読み取り機においては検出可能な程度の発光量であることを特徴とする請求項４に記載の情報記録媒体を提供するものである。
【発明の効果】
【００１６】
本発明は以上の構成であるから、下記に示す如き効果がある。 即ち、同一の励起波長の光源を用いることによって、同一エリアに記録された別々の情報を同時に読み出すことが可能な情報記録媒体を提供することが可能となる。また、発光波長が可視光の波長域にある蛍光体を用いることによって、可視情報も記録することができる。さらに、同時に機械読み取り情報を記録することにより、可視情報の目視観察と機械読み取り情報の読み取りを単一の光源で行うことができる。さらには、機械読み取り情報の発光強度を目視観察不可能な程度まで低下させることにより、目視観察時は目視情報のみを表示し、機械読み取り時には機械読み取り情報のみ、もしくは機械読み取り情報と可視情報の両方を読み取ることが可能な情報記録媒体を提供することが可能となる。
【発明を実施するための最良の形態】
【００１７】
以下、図面を参照して本発明を詳細に説明する。
【００１８】
図１は本発明によってなる情報記録媒体１の構成を示す正面図である。情報記録媒体１は、基材１１上に第一情報記録部１２と第二情報記録部１３が形成されている。図１においては、第一情報記録部１２として人物画像、第二情報記録部１３としてバーコードを設けているが、これに限るものではない。
【００１９】
基材１１はとしては、従来公知の紙、プラスチック、フィルム、木材、ガラス、金属といった材料が利用可能である。
【００２０】
第一情報記録部１２と第二情報記録部１３はいずれも蛍光体によって形成された情報である。情報を形成する方法としては、例えば蛍光体を樹脂材料に分散したインキを印刷、塗工あるいはノズルから噴出する方法、他のフィルム上に形成した蛍光体層を基材上に転写する方法、蒸着、スパッタリング等の気相コーティング法により形成する方法等がある。インキ化に使用可能な樹脂としては、ビニル系樹脂、アクリル系樹脂、ウレタン系樹脂、ポリエステル系樹脂、セルロース系樹脂といった一般的な樹脂、これらに架橋剤を添加した熱硬化性樹脂、あるいは紫外線硬化樹脂、可視光硬化樹脂のような光硬化性樹脂といった従来公知の樹脂が使用可能である。これらをグラビア系溶剤、スクリーン系溶剤等の溶剤に溶解し、更に蛍光体を分散することで印刷または塗工用インキが作成されるが、使用可能な樹脂等はここに挙げたものに限られるものではない。なお、蛍光体の分散性を向上させるための分散剤や印刷適性を向上させるためのレベリング剤等の助剤を添加してもよい。
【００２１】
次に、第一情報記録部１２及び第二情報記録部１３に使用される蛍光体について説明する。これら両記録部に使用される蛍光体は、ほぼ同一の励起光波長を持ち、発光波長はそれぞれ異なる蛍光体である。なお、ここで「ほぼ」というのは励起ピーク波長が少しずれていてもよく、結果として検出もしくは目視観察において必要な程度の発光が得られる組み合わせ、もしくは機械読み取りが可能な程度の発光が得られればよいという意味である。ここでいう「ほぼ同一」の幅は、励起ピーク波長のブロードさにもよるが、一般的には数１０ｎｍ以下程度である。
【００２２】
励起光波長は、使用する蛍光体に合わせて、長波長側の赤外光から短波長側の紫外光まで選択可能であり、発光波長は使用するすべての蛍光体が同一波長の光源で必要とされる発光強度を有する波長とする必要がある。。
【００２３】
本発明においては、第一情報記録部１２及び第二情報記録部１３には、それぞれ異なった情報を記録することが可能である。このようにすることにより、同一エリアに二種類以上の情報を記録することができる。
【００２４】
また、最近はアップコンバージョン蛍光等の長波長の励起光で短波長の発光を得る蛍光体の研究が進んでおり、これを利用することも可能である。具体的には、赤外光を励起光とし、可視光を発光する蛍光体が知られている。これらの、赤外励起−可視発光の蛍光体を組み合わせて使用することにより、目視で情報を確認することが可能となる。
【００２５】
次に、本発明によってなる情報記録媒体１の動作について説明する。図２は本発明の情報記録媒体１を図１中Ｘ−Ｘ´で切断した場合の断面図である。情報記録媒体１には励起光２１（波長λ０）が照射されると、第一情報記録部１２の発光２２（波長λ１）と第二情報記録部１３の発光２３（波長λ２）の両方が生じる。これは、第一情報記録部１２と第二情報記録部１３の励起波長がほぼ等しいからである。したがって、第一情報記録部１２と第二情報記録部１３では、記録されていた情報が別々であったが、それらを一つの光源（＝励起光２１）のみで同時に再生することが可能である。
【００２６】
また、これは同時に、複数の蛍光体によって形成された情報記録部のうちの一つ以上を機械読み取り可能な情報とすることにより、読み取り機を用いて真偽判定及び情報の読み出しをすることが可能であることを示している。これらの機械読み取り情報としては、例に示したバーコードのほかにも従来公知の二次元バーコードやＯＣＲ文字等、光学的手段で読み出しが可能である情報が使用可能である。これらの機械読み取り情報を読み取るた
めには、励起光２１を照射し、得られた発光のうち機械読み取り情報の発光、すなわち前記の例では第二情報記録部の発光２３を通過する適切な光学フィルタを通して読み取ることで、機械読み取り情報を含む光のみを読み取り装置に取り込み、センサーで検知してコード情報を読み出すことができる。
【００２７】
また、上記の機械読み取り情報と目視情報を共存する方法において、両情報が同じ程度に発光して目視情報の視認性を阻害する場合には、機械読み取り情報の発光強度を目視観察不可能な強度に設定し、別に記録された目視可能な情報の発光強度を目視可能な程度以上に高く設定することにより、目視時に機械読み取り情報が邪魔をせずに情報を読み取ることが可能となる。この状態を示したのが図３である。この場合も機械読み取り情報の読み出し方法は前述と同じであり、適切な光学フィルタを通して読み取ることで、機械読み取り情報を含む光のみを読み取り装置に取り込み、センサーで検知してコード情報を読み出すことができる。
【実施例１】
【００２８】
本発明を、具体的な実施例をあげて詳細に説明する。
基材１１として、厚み１８８μｍの白色ＰＥＴシートを使用した。第一情報記録部１２用の蛍光体としては、励起波長９５０ｎｍ、発光波長５５０ｎｍの緑色蛍光体、第二情報記録部１３用の蛍光体としては、励起波長は同じく９５０ｎｍ、発光波長６７０ｎｍの赤色蛍光体を使用した。これらを下記組成のように設定し、ペイントシェーカーでグラビア系インキを得た。
【００２９】
＜第一情報記録部の組成＞
・アクリル系樹脂    １８重量部
・緑色蛍光体          ２重量部
・グラビア系溶剤    ８０重量部
＜第二情報記録部の組成＞
・アクリル系樹脂    １８重量部
・赤色蛍光体          ２重量部
・グラビア系溶剤    ８０重量部
続いて、上記で得た蛍光体インキ２種をグラビア印刷法にて厚み５μｍのＰＥＴフィルム原反（塗工裏面に耐熱バックコート層付き）に表１のとおり、厚み１μｍまたは３μｍで塗工し、スリットしてそれぞれの蛍光体用の印字用リボンを得た。それぞれ塗工した蛍光体用リボンの蛍光発光強度を蛍光分光光度計にて測定したところ、結果は表１の通りであった。
【００３０】
【表１】
2005100003.tif 000003
次に、それぞれの印字用リボンを用いて、サーマルヘッドシミュレータを用いて上記基材１の白色ＰＥＴシート上に画像を転写し、情報記録媒体１を得た。なお、緑色蛍光体を用いた第一情報記録部１２には人物の画像を印字し目視情報とし、赤色蛍光体を用いた第二情報記録部１３にはバーコードを印字し、機械読み取り情報とした。
【００３１】
このようにして得た情報記録媒体１の結果は以下の通りである。まず、基材１の表面は目視可能な情報はなく、若干表面性が異なる部分がある程度の状態であった。次に、この表面上を９５０ｎｍの半導体レーザー（出力０．０５Ｗ）を用いて基材１表面の全体をスキャンすると、実施例１−１においては緑色の人物画像と赤色のバーコードが確認された。実施例１−２においては、緑色の人物画像は確認できたが、赤色のバーコードの発光は
目視確認できなかった。実施例１−３においては、いずれの画像の発光も目視では確認できなかった。
【００３２】
実施例１−２の機械読み取り情報及び実施例１−３における両情報は、目視確認はできなかったが、表１の発光強度欄に示すように、弱いながらも発光はしており、これを光学フィルターを介して検知することは可能である。この場合、特に実施例１−２の状態は目視観察時には目視情報のみが確認でき、機械読み取り時には両方の画像が検知可能であるという理想的な動作となっている。
【実施例２】
【００３３】
次に比較例を示す。比較例は、従来技術の構成であり、実施例の赤色蛍光体を紫外線Ａ（３５０ｎｍ）で励起され、緑色に発光する紫外蛍光体に置き換えたものである。下記組成のものを同様な方法でグラビアインキ化し、同じフィルムに塗工してリボンを得た。塗工厚、発光強度、目視確認結果を表２に示す。
【００３４】
＜紫外蛍光体インキの組成＞
・アクリル系樹脂    １８重量部
・紫外蛍光体          ２重量部
・グラビア系溶剤    ８０重量部
【００３５】
【表２】
2005100003.tif 000004
表２から、緑色蛍光体と紫外蛍光体の組み合わせでは９５０ｎｍの励起光を照射しても両者同時の発光は認められないことがわかる。逆に、紫外蛍光体を発光させるには、波長３５０ｎｍの紫外光を照射する必要があるが、その場合には緑色蛍光体が発光せず、やはり両者同時の発光は認められなかった。したがって、両者の情報を読み取るためには９５０ｎｍの光源と３５０ｎｍの光源を照射する必要があることがわかる。
【産業上の利用可能性】
【００３６】
例えば、商品券等や（クレジット）カード等の有価証券類（特にはセキュリティ対策の要求が高い高額なものや重要なもの）の偽造防止対策（偽造の発見や抑止）、真正品であることの認証（例えばブランド品や高級品等の高価なものへ適用が一般に希望が多い）の為の偽造防止対策（偽造の発見や抑止）、機械読み取り情報を付与することで検証機能を備えた情報記録媒体など様々な分野で利用できる。
【図面の簡単な説明】
【００３７】
【図１】本発明による情報記録媒体の一実施例を示す正面図。
【図２】本発明による情報記録媒体の動作の一例を示す断面図
【図３】本発明による情報記録媒体の動作の別の一例を示す断面図
【図４】本発明による情報記録媒体の動作のうち、機械読み取り情報を読み取る方法の一例を示す断面図
【図５】本発明による情報記録媒体の比較例の動作の一例を示す断面図
【符号の説明】
【００３８】
１…情報記録媒体
１１…基材
１２…第一情報記録部
１３…第二情報記録部
２１…励起光
２２…第一情報記録部の発光
２３…第二情報記録部の発光
３１…光学フィルタ
３２…光学センサ
λ０…励起光波長
λ１…第一情報記録部の発光波長
λ２…第二情報記録部の発光波長
【図１】
2005100003.tif 000005
【図２】
2005100003.tif 000006
【図３】
2005100003.tif 000007
【図４】
2005100003.tif 000008
【図５】
2005100003.tif 000009